(57)【要約】【課題】喫煙所の管理者の負担を低減し、かつ、利便性及び快適性が高い、喫煙所が設置された空間を実現する。【解決手段】喫煙所の監視システムであって、異なる対象に対して行われる施策及び実行条件を対応づけた施策定義データを格納する施策管理情報を保持し、喫煙所の内部及び外部に設置された複数のセンサからセンサデータを取得し、センサデータを用いて喫煙所の内部及び外部の環境を分析し、分析の結果に基づいて施策管理情報を参照することによって実行する施策を決定し、決定された施策を実行する。【選択図】図１
2020181274.tif 000002
【特許請求の範囲】
【請求項１】
喫煙所の監視システムであって、
前記喫煙所の内部及び外部に設置された複数のセンサと、前記複数のセンサと接続される少なくとも一つの計算機と、を備え、
異なる対象に対して行われる施策及び実行条件を対応づけた施策定義データを格納する施策管理情報を保持し、
前記実行条件は、前記喫煙所の環境に関する条件であり、
前記少なくとも一つの計算機は、
前記複数のセンサからセンサデータを取得し、
前記センサデータを用いて前記喫煙所の内部及び外部の環境を分析し、
前記分析の結果に基づいて前記施策管理情報を参照することによって、実行する施策を決定し、
前記決定された施策を実行することを特徴とする喫煙所の監視システム。
【請求項２】
請求項１に記載の喫煙所の監視システムであって、
前記施策管理情報は、前記喫煙所が設置された空間に存在する設備を管理する空気環境管理システムに対して行われる施策を定義した施策定義データ、前記喫煙所を管理する管理者に対して行われる施策を定義した施策定義データ、喫煙者に対して行われる施策を定義した施策定義データ、及び非喫煙者に対して行われる施策を定義した施策定義データを格納することを特徴とする喫煙所の監視システム。
【請求項３】
請求項１に記載の喫煙所の監視システムであって、
前記実行条件は、前記喫煙所の内部及び外部の環境を示す値及び閾値を用いて定義された条件式であることを特徴とする喫煙所の監視システム。
【請求項４】
請求項２に記載の喫煙所の監視システムであって、
前記管理者に対して行われる施策は、前記喫煙所の清掃を促す通知、前記喫煙所の清掃予定時刻の通知、前記喫煙所のメンテナンスを促す通知、前記喫煙所の異常発生の通知、及び前記喫煙所のドアが閉扉を促す通知の少なくともいずれかを含むことを特徴とする喫煙所の監視システム。
【請求項５】
請求項４に記載の喫煙所の監視システムであって、
前記センサデータは、前記喫煙所に入室した喫煙者の数を示すデータを含み、
前記少なくとも一つの計算機は、
前記喫煙所に入室した喫煙者の累積人数を算出し、
前記喫煙所に入室した喫煙者の累積人数及び閾値の比較結果に基づいて、前記喫煙所の清掃が必要か否かを判定し、
前記喫煙所の清掃が必要であると判定された場合、前記喫煙所の清掃を促す通知を、前記施策として実行することを特徴とする喫煙所の監視システム。
【請求項６】
請求項２に記載の喫煙所の監視システムであって、
前記喫煙者に対して行われる施策は、前記喫煙所を利用する前記喫煙者の退室を促す通知、及び前記喫煙者が利用可能な前記喫煙所を提示する通知の少なくともいずれかを含むことを特徴とする喫煙所の監視システム。
【請求項７】
請求項２に記載の喫煙所の監視システムであって、
前記非喫煙者に対して行われる施策は、においの漏れが発生している前記喫煙所を提示する通知を含むことを特徴とする喫煙所の監視システム。
【請求項８】
請求項２に記載の喫煙所の監視システムであって、
前記設備は、空調機能を有する設備、消臭機能を有する設備、及び集塵機能を有する設備を含み、
前記空気環境管理システムに対して行われる施策は、前記設備の制御指示を含むことを特徴とする喫煙所の監視システム。
【請求項９】
請求項２に記載の喫煙所の監視システムであって、
表示装置を備え、
前記センサデータに基づいて前記喫煙所の環境を提示するための表示情報を生成し、
前記表示情報に基づいて前記表示装置への表示を行うことを特徴とする喫煙所の監視システム。
【請求項１０】
喫煙所の内部及び外部に設置された複数のセンサと、前記複数のセンサと接続される少なくとも一つの計算機と、を有する計算機システムにおける喫煙所の監視方法であって、
前記計算機システムは、異なる対象に対して行われる施策及び実行条件を対応づけた施策定義データを格納する施策管理情報を保持し、
前記実行条件は、前記喫煙所の環境に関する条件であり、
前記喫煙所の監視方法は、
前記少なくとも一つの計算機が、前記複数のセンサからセンサデータを取得する第１のステップと、
前記少なくとも一つの計算機が、前記センサデータを用いて前記喫煙所の内部及び外部の環境を分析する第２のステップと、
前記少なくとも一つの計算機が、前記分析の結果に基づいて前記施策管理情報を参照することによって、実行する施策を決定する第３のステップと、
前記少なくとも一つの計算機が、前記決定された施策を実行する第４のステップと、を含むことを特徴とする喫煙所の監視方法。
【請求項１１】
請求項１０に記載の喫煙所の監視方法であって、
前記施策管理情報は、前記喫煙所が設置された空間に存在する設備を管理する空気環境管理システムに対して行われる施策を定義した施策定義データ、前記喫煙所を管理する管理者に対して行われる施策を定義した施策定義データ、喫煙者に対して行われる施策を定義した施策定義データ、及び非喫煙者に対して行われる施策を定義した施策定義データを格納することを特徴とする喫煙所の監視方法。
【請求項１２】
請求項１０に記載の喫煙所の監視方法であって、
前記実行条件は、前記喫煙所の内部及び外部の環境を示す値及び閾値を用いて定義された条件式であることを特徴とする喫煙所の監視方法。
【請求項１３】
請求項１１に記載の喫煙所の監視方法であって、
前記管理者に対して行われる施策は、前記喫煙所の清掃を促す通知、前記喫煙所の清掃予定時刻の通知、前記喫煙所のメンテナンスを促す通知、前記喫煙所の異常発生の通知、及び前記喫煙所のドアが閉扉を促す通知の少なくともいずれかを含むことを特徴とする喫煙所の監視方法。
【請求項１４】
請求項１３に記載の喫煙所の監視方法であって、
前記センサデータは、前記喫煙所に入室した喫煙者の数を示すデータを含み、
前記第３のステップは、
前記少なくとも一つの計算機が、前記喫煙所に入室した喫煙者の累積人数を算出するステップと、
前記少なくとも一つの計算機が、前記喫煙所に入室した喫煙者の累積人数及び閾値の比較結果に基づいて、前記喫煙所の清掃が必要か否かを判定するステップと、を含み、
前記第４のステップは、前記喫煙所の清掃が必要であると判定された場合、前記少なくとも一つの計算機が、前記喫煙所の清掃を促す通知を、前記施策として実行するステップを含むことを特徴とする喫煙所の監視方法。
【請求項１５】
請求項１１に記載の喫煙所の監視方法であって、
前記喫煙者に対して行われる施策は、前記喫煙所を利用する前記喫煙者の退室を促す通知、及び前記喫煙者が利用可能な前記喫煙所を提示する通知の少なくともいずれかを含むことを特徴とする喫煙所の監視方法。
【請求項１６】
請求項１１に記載の喫煙所の監視方法であって、
前記非喫煙者に対して行われる施策は、においの漏れが発生している前記喫煙所を提示する通知を含むことを特徴とする喫煙所の監視方法。
【請求項１７】
請求項１１に記載の喫煙所の監視方法であって、
前記設備は、空調機能を有する設備、消臭機能を有する設備、及び集塵機能を有する設備を含み、
前記空気環境管理システムに対して行われる施策は、前記設備の制御を含むことを特徴とする喫煙所の監視方法。
【請求項１８】
請求項１１に記載の喫煙所の監視方法であって、
前記計算機システムは、表示装置を有し、
前記喫煙所の監視方法は、
前記少なくとも一つの計算機が、前記センサデータに基づいて前記喫煙所の環境を提示するための表示情報を生成するステップと、
前記少なくとも一つの計算機が、前記表示情報に基づいて前記表示装置への表示を行うステップと、を含むことを特徴とする喫煙所の監視方法。
【発明の詳細な説明】
【技術分野】
【０００１】
本発明は、ＩｏＴ技術を活用した喫煙所の監視技術に関する。
【背景技術】
【０００２】
健康増進及び職場環境等の快適性の確保等の観点から、受動喫煙を防止するための対策として喫煙所の設置が進められている。
【０００３】
喫煙所内の環境を改善するための技術として、例えば、特許文献１に記載の技術が知られている。特許文献１には、「エアー汚染度測定器により、喫煙室４内のエアーが規定値を越える汚染度を検知すると、送風機２０を作動させ、喫煙室４内のエアーを全熱交換器６に通して建造物３外に排出し、その排出エアーＱｉのエネルギー回収のため、送風機９を作動させて建造物３外からエアーを全熱交換器６を通してエネルギー回収新鮮エアーＱｒを非喫煙エリア７内に導入し、風量制御装置２２、２３を同調作動させて排出エアーＱｉ＝エネルギー回収新鮮エアーＱｒとして、排出エアーＱｉ補充のため、非喫煙エリア７内から開口部２１を通して導入エアーＱｏが喫煙室４内に入り、風量制御装置２４を上記の風量制御装置２２、２３と同調作動させて、集中空気調和機２からの空調エアーＱａｉを喫煙室４内に導入し、Ｑｉ＝Ｑｏ＋Ｑａｉとする」システムが記載されている。
【先行技術文献】
【特許文献】
【０００４】
【特許文献１】特開２００５−１５６１２６号公報
【発明の概要】
【発明が解決しようとする課題】
【０００５】
喫煙所からのにおいの漏れ等により、非喫煙者が不快な思いをすることがある。そのため、喫煙所内の環境の改善だけでは不十分であり、喫煙所及び喫煙所周辺の環境改善する必要がある。この場合、喫煙所及び喫煙所周辺の環境を監視する必要があるため、喫煙所の管理者の負担が大きい。
【０００６】
また、喫煙所の環境の悪化の原因は様々あり、各原因に応じた施策を行う必要がある。この場合、管理者は、監視結果に応じて施策を決定する必要があり、負担が大きい。
【０００７】
本発明は、喫煙所の管理者の負担を低減し、かつ、利便性及び快適性が高い、喫煙所が設置された空間を実現するためのシステム及び方法を提供する。
【課題を解決するための手段】
【０００８】
本願において開示される発明の代表的な一例を示せば以下の通りである。すなわち、喫煙所の監視システムであって、前記喫煙所の内部及び外部に設置された複数のセンサと、前記複数のセンサと接続される少なくとも一つの計算機と、を備え、異なる対象に対して行われる施策及び実行条件を対応づけた施策定義データを格納する施策管理情報を保持し、前記実行条件は、前記喫煙所の環境に関する条件であり、前記少なくとも一つの計算機は、前記複数のセンサからセンサデータを取得し、前記センサデータを用いて前記喫煙所の内部及び外部の環境を分析し、前記分析の結果に基づいて前記施策管理情報を参照することによって、実行する施策を決定し、前記決定された施策を実行する。
【発明の効果】
【０００９】
本発明によれば、喫煙所の管理者の負担を低減し、かつ、利便性及び快適性が高い、喫煙所が設置された空間を実現できる。上記した以外の課題、構成及び効果は、以下の実施例の説明により明らかにされる。
【図面の簡単な説明】
【００１０】
【図１】実施例１の喫煙所監視システムの構成の一例を示す図である。
【図２】実施例１の喫煙所の設置例を示す図である。
【図３】実施例１の喫煙所管理情報の一例を示す図である。
【図４】実施例１の設備管理情報の一例を示す図である。
【図５】実施例１のセンサ管理情報の一例を示す図である。
【図６Ａ】実施例１のセンサデータ管理情報の一例を示す図である。
【図６Ｂ】実施例１のセンサデータ管理情報の一例を示す図である。
【図６Ｃ】実施例１のセンサデータ管理情報の一例を示す図である。
【図６Ｄ】実施例１のセンサデータ管理情報の一例を示す図である。
【図７】実施例１の累積人数管理情報の一例を示す図である。
【図８Ａ】実施例１の施策管理情報の一例を示す図である。
【図８Ｂ】実施例１の施策管理情報の一例を示す図である。
【図９】実施例１のエッジデバイスが実行する処理の一例を説明するフローチャートである。
【図１０】実施例１の監視サーバがセンサデータを受信した場合に実行する処理の一例を説明するフローチャートである。
【図１１Ａ】実施例１の監視サーバによって表示される画面の一例を説明する図である。
【図１１Ｂ】実施例１の監視サーバによって表示される画面の一例を説明する図である。
【図１２】実施例１の監視サーバが実行する施策決定処理の一例を説明するフローチャートである。
【図１３】実施例１の空気環境管理サーバが実行する処理の一例を説明するフローチャートである。
【図１４】実施例１の監視サーバから管理者への通知を表示する画面の一例を示す図である。
【図１５】実施例１の監視サーバから喫煙者への通知を表示する画面の一例を示す図である。
【図１６】実施例１の監視サーバから非喫煙者への通知を表示する画面の一例を示す図である。
【図１７】実施例１の監視サーバが実行する累積人数の初期化処理の一例を説明するフローチャートである。
【図１８Ａ】実施例１の端末に表示される画面の一例を示す図である。
【図１８Ｂ】実施例１の端末に表示される画面の一例を示す図である。
【発明を実施するための形態】
【００１１】
以下、本発明の実施例を、図面を用いて説明する。ただし、本発明は以下に示す実施例の記載内容に限定して解釈されるものではない。本発明の思想ないし趣旨から逸脱しない範囲で、その具体的構成を変更し得ることは当業者であれば容易に理解される。
【００１２】
以下に説明する発明の構成において、同一又は類似する構成又は機能には同一の符号を付し、重複する説明は省略する。
【００１３】
本明細書等における「第１」、「第２」、「第３」等の表記は、構成要素を識別するために付するものであり、必ずしも、数又は順序を限定するものではない。
【００１４】
図面等において示す各構成の位置、大きさ、形状、及び範囲等は、発明の理解を容易にするため、実際の位置、大きさ、形状、及び範囲等を表していない場合がある。したがって、本発明では、図面等に開示された位置、大きさ、形状、及び範囲等に限定されない。
【実施例１】
【００１５】
図１は、実施例１の喫煙所監視システムの構成の一例を示す図である。図２は、実施例１の喫煙所の設置例を示す図である。
【００１６】
喫煙所監視システムは、監視サーバ１００、複数のセンサ１０１、エッジデバイス１０２、空気環境管理サーバ１０３、及び端末１０４から構成される。
【００１７】
監視サーバ１００は、直接又はネットワークを介して、エッジデバイス１０２、空気環境管理サーバ１０３、及び端末１０４と接続する。また、エッジデバイス１０２は、直接又はネットワークを介して、複数のセンサ１０１と接続する。
【００１８】
ネットワークは、例えば、ＷＡＮ（Ｗｉｄｅ  Ａｒｅａ  Ｎｅｔｗｏｒｋ）、ＬＰＷＡ（Ｌｏｗ  Ｐｏｗｅｒ  Ｗｉｄｅ  Ａｒｅａ）、及びＬＡＮ（Ｌｏｃａｌ  Ａｒｅａ  Ｎｅｔｗｏｒｋ）等である。なお、ネットワークの接続方式は有線又は無線のいずれでもよい。
【００１９】
センサ１０１は、喫煙所２００（図２参照）の環境を表す値（状態値）を計測する。エッジデバイス１０２は、複数のセンサ１０１から状態値を含むセンサデータを取得し、監視サーバ１００に送信する。なお、センサデータにはセンサ１０１の識別情報及び計測時刻等が含まれる。
【００２０】
図１では、監視サーバ１００に接続されるエッジデバイス１０２は一つであるが、これに限定されない。同一又は異なる喫煙所２００に設置された複数のエッジデバイス１０２が接続されてもよい。
【００２１】
ここで、図２を用いて喫煙所２００の設置例を説明する。実施例１では、ビル等の建築物の内部（空間）に設置された喫煙所２００を想定する。図２は、建築物の一部に設置された喫煙所２００を示す。建築物には複数の喫煙所２００が設置されてもよい。
【００２２】
喫煙所２００は、通路２０１に接するように設置される。喫煙者は、ドア２１２から喫煙所２００へ入室し、また退室する。建築物には、喫煙所２００の外側の空調を制御するための空気調和機２２０が設置される。空気調和機２２０は、喫煙所２００内の空気が外に漏れ出さないように、喫煙所２００の外から内への方向にエアーを出力している。空気調和機２２０は消臭機能を有してもよい。
【００２３】
喫煙所２００の外側にはセンサ１０１−１が設置され、また、内側にはセンサ１０１−２が設置される。センサ１０１−１は喫煙所２００の外の状態値を計測し、センサ１０１−２は喫煙所２００の内の状態値を計測する。センサ１０１−１、１０１−２は、計測値を含むセンサデータを外部に出力する。図２では、喫煙所２００の内側及び外側に設置されるセンサ１０１は一つであるが、複数でもよい。
【００２４】
センサ１０１としては、ほこりセンサ、においセンサ、温度センサ、湿度センサ、気圧センサ、ドア開閉センサ、ＴｏＦ（Ｔｉｍｅ  ｏｆ  Ｆｌｉｇｈｔ）センサ、及びカメラ等が考えられる。
【００２５】
実施例１では、喫煙所２００の内側には、ほこりセンサ、においセンサ、ドア開閉センサ、ＴｏＦセンサが設置されているものとする。ＴｏＦセンサは、喫煙所２００に入室した喫煙者の人数及び喫煙所２００から退室した喫煙者の人数をカウントするために用いられる。実施例１では、喫煙者のプライバシーの観点からＴｏＦセンサを用いている。なお、カメラを用いて喫煙所２００に在室している喫煙者の人数を計測してもよい。
【００２６】
なお、本発明はセンサ１０１の数及び種別に限定されない。また、センサ１０１は複数の値を計測するセンサであってもよい。
【００２７】
喫煙所２００には、喫煙所２００の内側の空調を制御するための空気調和機２１１と、センサ１０１−１、１０１−２からセンサデータを取得するエッジデバイス１０２が設置される。空気調和機２１１は消臭機能を有してもよい。
【００２８】
また、喫煙所２００には、喫煙者が使用する喫煙テーブル２１０が設置されている。喫煙テーブル２１０は集塵機能及び消臭機能を有する。また、喫煙テーブル２１０には灰皿が設置されているものとする。なお、消臭機能は、喫煙テーブル２１０以外の設備に備わっていてもよい。図１の説明に戻る。
【００２９】
監視サーバ１００は、エッジデバイス１０２を介して取得したセンサデータに基づいて、喫煙所２００の内部及び外部の環境を分析し、当該分析の結果に基づいて、喫煙所の環境の改善等を目的とした施策を実行する。
【００３０】
空気環境管理サーバ１０３は、空気調和機２１１、２２０及び喫煙テーブル２１０を制御する。端末１０４は、喫煙者、非喫煙者、及び喫煙所２００の管理者等が使用する端末である。ここで、非喫煙者は成人及び未成年を含む。端末１０４は、パーソナルコンピュータ、スマートフォン、及びタブレット等である。
【００３１】
なお、監視サーバ１００及び空気環境管理サーバ１０３は、喫煙所２００が設置された建築物とは異なる場所に設置されてもよい。監視サーバ１００の代わりに複数の計算機から構成される監視システムを設けてもよい。また、空気環境管理サーバ１０３の代わりに複数の計算機から構成される空気環境管理システムを設けてもよい。
【００３２】
ここで、監視サーバ１００、空気環境管理サーバ１０３、及び端末１０４の構成について説明する。
【００３３】
監視サーバ１００は、プロセッサ１１０、ネットワークインタフェース１１１、メモリ１１２、及び記憶装置１１３を有する。各ハードウェアはバスを介して互いに接続される。
【００３４】
エッジデバイス１０２、空気環境管理サーバ１０３、及び端末１０４のハードウェア構成は、監視サーバ１００のハードウェア構成と同様のものであるものとする。なお、エッジデバイス１０２、空気環境管理サーバ１０３、及び端末１０４は、一部のハードウェアを含まなくてもよい。例えば、エッジデバイス１０２は記憶装置１１３を有していなくてもよい。
【００３５】
プロセッサ１１０は、メモリ１１２に格納されるプログラムを実行する。プロセッサ１１０がプログラムにしたがって処理を実行することによって、特定の機能を実現する機能部（モジュール）として動作する。以下の説明では、機能部を主語に処理を説明する場合、プロセッサ１１０が当該機能部を実現するプログラムを実行していることを示す。
【００３６】
ネットワークインタフェース１１１は、ネットワークを介して他の装置と通信するためのインタフェースである。
【００３７】
メモリ１１２は、プロセッサ１１０が実行するプログラム及びプログラムが使用する情報を格納する。また、メモリ１１２は、プログラムが一時的に使用するワークエリアを含む。
【００３８】
実施例１のメモリ１１２は、データ格納部１２０、施策決定部１２１、及び画面表示部１２２を実現するプログラムを格納する。データ格納部１２０は、センサデータの格納処理を実行する。施策決定部１２１は、実行する施策を決定する。画面表示部１２２は、喫煙所２００の環境等を示す画面を表示する。各機能部が実行する処理の詳細は後述する。
【００３９】
なお、監視サーバ１００が有する各機能部については、複数の機能部を一つの機能部にまとめてもよいし、一つの機能部を機能毎に複数の機能部に分けてもよい。
【００４０】
記憶装置１１３は、データを永続的に格納する。記憶装置１１３は、例えば、ＨＤＤ（Ｈａｒｄ  Ｄｉｓｋ  Ｄｒｉｖｅ）及びＳＳＤ（Ｓｏｌｉｄ  Ｓｔａｔｅ  Ｄｒｉｖｅ）等である。
【００４１】
実施例１の記憶装置１１３は、喫煙所管理情報１３０、設備管理情報１３１、センサ管理情報１３２、センサデータ管理情報１３３、累積人数管理情報１３４、及び施策管理情報１３５を格納する。
【００４２】
喫煙所管理情報１３０は、建築物に設置された喫煙所２００を管理するための情報である。喫煙所管理情報１３０の詳細は図３を用いて説明する。
【００４３】
設備管理情報１３１は、喫煙所２００の環境を制御するために設置された機器を管理するための情報である。なお、空気調和機２１１及び喫煙テーブル２１０は設備管理情報１３１で管理する機器に含まれるが、センサ１０１は設備管理情報１３１で管理する機器には含まれない。設備管理情報１３１の詳細は図４を用いて説明する。
【００４４】
センサ管理情報１３２は、喫煙所２００に設置されたセンサ１０１を管理するための情報である。センサ管理情報１３２の詳細は図５を用いて説明する。
【００４５】
センサデータ管理情報１３３は、取得したセンサデータを管理するための情報である。センサデータ管理情報１３３の詳細は図６Ａ、図６Ｂ、図６Ｃ、及び図６Ｄを用いて説明する。
【００４６】
累積人数管理情報１３４は、喫煙所２００を利用した喫煙者の人数の累積値を管理するための情報である。累積人数管理情報１３４の詳細は図７を用いて説明する。
【００４７】
施策管理情報１３５は、施策を管理するための情報である。施策管理情報１３５の詳細は図８Ａ及び図８Ｂを用いて説明する。
【００４８】
空気環境管理サーバ１０３のメモリ（図示省略）は、空調制御部１４０を実現するプログラムを格納する。空調制御部１４０は空気調和機２１１、２２０を制御する。
【００４９】
端末１０４のメモリ（図示省略）は、アプリケーション１５０を実現するプログラムを格納する。アプリケーション１５０は、監視サーバ１００が実行する施策に応じた処理を実行する。
【００５０】
次に、監視サーバ１００の記憶装置１１３に格納される情報の詳細を説明する。
【００５１】
図３は、実施例１の喫煙所管理情報１３０の一例を示す図である。
【００５２】
喫煙所管理情報１３０は、喫煙所ＩＤ３０１、設置場所３０２、収容人数３０３、清掃閾値３０４、及び閉扉閾値３０５から構成されるエントリを含む。一つの喫煙所２００に対して一つのエントリが存在する。
【００５３】
喫煙所ＩＤ３０１は、喫煙所２００の識別情報を格納するフィールドである。
【００５４】
設置場所３０２は、喫煙所２００の設置場所を示す情報を格納するフィールドである。図３の設置場所３０２には建築物の階数が格納されている。なお、座標等が格納されてもよい。
【００５５】
収容人数３０３は、喫煙所２００に収容可能な喫煙者の人数を格納するフィールドである。
【００５６】
清掃閾値３０４は、灰皿の交換等、喫煙所２００の清掃の実行タイミングを決定するための閾値を格納するフィールドである。実施例１の清掃閾値３０４には、喫煙所２００を利用した喫煙者の累積人数が格納される。
【００５７】
閉扉閾値３０５は、ドア２１２の閉扉を通知するタイミングを決定するための閾値を格納するフィールドである。
【００５８】
図４は、実施例１の設備管理情報１３１の一例を示す図である。
【００５９】
設備管理情報１３１は、喫煙所ＩＤ４０１、機器種別４０２、及び機器ＩＤ４０３から構成されるエントリを含む。喫煙所２００及び機器の組合せに対して一つのエントリが存在する。
【００６０】
喫煙所ＩＤ４０１は、喫煙所ＩＤ３０１と同一のフィールドである。機器種別４０２は、機器の種別を示す情報を格納するフィールドである。機器ＩＤ４０３は、機器の型番等の機器の識別情報を格納するフィールドである。
【００６１】
図５は、実施例１のセンサ管理情報１３２の一例を示す図である。
【００６２】
センサ管理情報１３２は、喫煙所ＩＤ５０１、種別５０２、センサＩＤ５０３、及び設置場所フラグ５０４から構成されるエントリを格納する。喫煙所２００及びセンサ１０１の組合せに対して一つのエントリが存在する。
【００６３】
喫煙所ＩＤ５０１は、喫煙所ＩＤ３０１と同一のフィールドである。種別５０２は、センサの種別を格納するフィールドである。センサＩＤ５０３は、センサ１０１の識別情報を格納するフィールドである。設置場所フラグ５０４は、センサ１０１が喫煙所２００の内側及び外側のいずれに設置されているかを示すフラグを格納するフィールドである。実施例１の設置場所フラグ５０４には、喫煙所２００の内側に設置されていることを示す「０」、及び、喫煙所２００の外側に設置されていることを示す「１」のいずれかが格納される。
【００６４】
図６Ａ、図６Ｂ、図６Ｃ、及び図６Ｄは、実施例１のセンサデータ管理情報１３３の一例を示す図である。
【００６５】
センサデータ管理情報１３３は、種別が異なるセンサ１０１のセンサデータを管理するテーブル６００、６１０、６２０、６３０を含む。
【００６６】
テーブル６００は、ほこりセンサから取得したセンサデータを管理するためのテーブルであり、計測開始時刻６０１、計測終了時刻６０２、センサＩＤ６０３、粉塵計測量６０４、及び粉塵濃度６０５から構成されるエントリを含む。一つのセンサデータに対して一つのエントリが存在する。
【００６７】
計測開始時刻６０１は、ほこりセンサが計測を開始した時刻を格納するフィールドである。計測終了時刻６０２は、ほこりセンサが計測を終了した時刻を格納するフィールドである。
【００６８】
センサＩＤ６０３は、ほこりセンサの識別情報を格納するフィールドである。センサＩＤ６０３には、センサＩＤ５０３に設定された識別情報と同一の識別情報が格納される。
【００６９】
粉塵計測量６０４及び粉塵濃度６０５は、ほこりセンサによって計測された粉塵の量及び濃度を格納するフィールドである。
【００７０】
テーブル６１０は、においセンサから取得したセンサデータを管理するためのテーブルであり、計測時刻６１１、センサＩＤ６１２、温度６１３、湿度６１４、気圧６１５、及び空気品質６１６から構成されるエントリを含む。一つのセンサデータに対して一つのエントリが存在する。実施例１のにおいセンサは、空気品質とともに、温度、湿度、及び気圧を計測する。
【００７１】
計測時刻６１１は、においセンサが計測した時刻を格納するフィールドである。
【００７２】
センサＩＤ６１２は、においセンサの識別情報を格納するフィールドである。センサＩＤ６１２には、センサＩＤ５０３に設定された識別情報と同一の識別情報が格納される。
【００７３】
温度６１３、湿度６１４、気圧６１５、空気品質６１６は、においセンサによって計測された温度、湿度、気圧、及び空気品質を格納するフィールドである。空気品質は、においの強さを表す値である。
【００７４】
テーブル６２０は、ドア開閉センサから取得したセンサデータを管理するためのテーブルであり、計測時刻６２１、センサＩＤ６２２、開閉フラグ６２３、及び継続時間６２４から構成されるエントリを含む。一つのセンサデータに対して一つのエントリが存在する。
【００７５】
計測時刻６２１は、ドア開閉センサがドア２１２の状態の変化を計測した時刻を格納するフィールドである。
【００７６】
センサＩＤ６２２は、ドア開閉センサの識別情報を格納するフィールドである。センサＩＤ６２２には、センサＩＤ５０３に設定された識別情報と同一の識別情報が格納される。
【００７７】
開閉フラグ６２３は、ドア開閉センサが計測したドア２１２の状態を示すフラグを格納するフィールドである。開閉フラグ６２３には、ドア２１２が開けられた状態を示す「０」、及び、ドア２１２が閉じられた状態を示す「１」のいずれかが格納される。
【００７８】
継続時間６２４は、ドア２１２の状態が維持された時間を格納するフィールドである。例えば、図６Ｃの一番目のエントリは、ドア２１２が開けられた状態が４５秒間継続していることを示す。
【００７９】
なお、継続時間６２４は、監視サーバ１００が算出してもよい。例えば、監視サーバ１００は、テーブル６２０に新たなエントリを追加した場合、当該エントリの計測時刻６２１と、時系列が一つ前のエントリの計測時刻６２１との差を算出し、新たに追加されたエントリの計測時刻６２１に算出結果を設定する。
【００８０】
テーブル６３０は、ＴｏＦセンサから取得したセンサデータを管理するためのテーブルであり、計測開始時刻６３１、計測終了時刻６３２、センサＩＤ６３３、入室人数６３４、退室人数６３５、及び在室人数６３６から構成されるエントリを含む。一つのセンサデータに対して一つのエントリが存在する。
【００８１】
計測開始時刻６３１は、ＴｏＦセンサが計測を開始した時刻を格納するフィールドである。計測終了時刻６３２は、ＴｏＦセンサが計測を終了した時刻を格納するフィールドである。
【００８２】
センサＩＤ６３３は、ＴｏＦセンサの識別情報を格納するフィールドである。センサＩＤ６３３には、センサＩＤ５０３に設定された識別情報と同一の識別情報が格納される。
【００８３】
入室人数６３４は、ＴｏＦセンサによって計測された喫煙所２００へ入室した喫煙者の人数を格納するフィールドである。退室人数６３５は、ＴｏＦセンサによって計測された喫煙所２００から退室した喫煙者の人数を格納するフィールドである。
【００８４】
在室人数６３６は、ＴｏＦセンサが計測を終了した時点における喫煙所２００内の喫煙者の人数を格納するフィールドである。在室人数６３６は、監視サーバ１００が算出する。例えば、監視サーバ１００は、テーブル６３０に新たなエントリを追加した場合、当該エントリの入室人数６３４から退室人数６３５を減算し、時系列が一つ前のエントリの在室人数６３６に算出した値を加算し、新たに追加されたエントリの在室人数６３６に算出結果を設定する。
【００８５】
図７は、実施例１の累積人数管理情報１３４の一例を示す図である。
【００８６】
累積人数管理情報１３４は、喫煙所ＩＤ７０１、更新時刻７０２、第１累積人数７０３、及び第２累積人数７０４から構成されるエントリを含む。一つの喫煙所２００に対して一つのエントリが存在する。
【００８７】
喫煙所ＩＤ７０１は、喫煙所ＩＤ３０１と同一のフィールドである。更新時刻７０２は、エントリが更新された時刻を格納するフィールドである。第１累積人数７０３及び第２累積人数７０４は、喫煙所２００を使用した喫煙者の人数の累積値を格納するフィールドである。第１累積人数７０３は、喫煙所２００の清掃タイミングを決定するために用いられる。第２累積人数７０４は、喫煙所２００のメンテナンスタイミングを決定するために用いられる。
【００８８】
実施例１では、喫煙所２００の累積人数に基づいて、灰皿の汚れ（吸い殻の量）、すなわち、清掃のタイミングを決定している。また、喫煙所２００の累積人数に基づいて、喫煙所２００のフィルタ等の消耗品の交換、すなわち、メンテナンスのタイミングを決定している。
【００８９】
灰皿の汚れ、すなわち、吸い殻の量は、重さセンサ及び距離センサに基づいて予測することも考えられる。しかし、灰皿には液体等が混入することがあり、当該センサから得られた値に基づいて吸い殻の量を予測するのは困難である。そこで、実施例１では、喫煙所２００を利用した喫煙者の累積人数を吸い殻の量を把握する指標として用いる。これは、灰皿の状態に影響を受けることがないため、吸い殻の量の把握するための指標として有用と考えられる。
【００９０】
なお、監視サーバ１００は、第１累積人数７０３又は第２累積人数７０４を更新する場合、既存のエントリに値を上書きする代わりに、新たなエントリを追加してもよい。すなわち、累積人数の時間変化を示す履歴を管理してもよい。
【００９１】
図８Ａ及び図８Ｂは、実施例１の施策管理情報１３５の一例を示す図である。
【００９２】
施策管理情報１３５は、施策ＩＤ８０１、実行条件８０２、対象８０３、及び施策８０４から構成されるエントリを含む。一つの施策に対して一つのエントリが存在する。以下の説明では、エントリを施策定義データとも記載する。
【００９３】
施策ＩＤ８０１は、施策を識別するための識別情報を格納するフィールドである。
【００９４】
実行条件８０２は、施策を実行する条件を格納するフィールドである。実施例１の実行条件８０２には、センサ１０１によって計測された値又は当該値から算出される演算値と、閾値とを用いて定義される条件式が一つ以上格納される。
【００９５】
なお、施策ＩＤ８０１が「００００７」から「００００９」のエントリの「閾値」には、対応する喫煙所２００の清掃閾値３０４の値が設定される。施策ＩＤ８０１が「０００１１」のエントリの「閾値」には、対応する喫煙所２００の閉扉閾値３０５の値が設定される。施策ＩＤ８０１が「０００１２」、「０００１３」のエントリの「閾値」には、対応する喫煙所２００の収容人数３０３の値が設定される。
【００９６】
対象８０３は、施策を実行する対象を示す情報を格納するフィールドである。施策８０４は、施策の具体的な内容を格納するフィールドである。ここで、実施例１で実行される施策について説明する。
【００９７】
施策ＩＤ８０１が「００００１」から「００００６」までのエントリは、空気環境管理サーバ１０３に対して実行される施策を定義した施策定義データである。施策ＩＤ８０１が「００００７」から「０００１１」までのエントリは、喫煙所２００の管理者に対して実行される施策を定義した施策定義データである。施策ＩＤ８０１が「０００１２」、「００１３」のエントリは、喫煙者に対して実行される施策を定義した施策定義データである。施策ＩＤ８０１が「０００１４」のエントリは、非喫煙者に対して実行される施策を定義した施策定義データである。
【００９８】
施策ＩＤ８０１が「００００１」から「００００４」までの施策定義データは、空気調和機２１１又は喫煙テーブル２１０の制御指示を送信するための施策を定義する。当該施策が実行されることによって喫煙所２００の内側の環境を自動的に改善することができる。また、喫煙所２００の内側の環境を改善することによって、喫煙所２００の外側の環境への影響を低減することができる。
【００９９】
これによって、喫煙者の健康面に配慮し、かつ、快適な環境を提供することができる。また、非喫煙者の健康面に配慮し、かつ、快適な環境を提供することができる。なお、空気環境管理サーバ１０３に制御指示を送信する代わりに、管理者に制御方針を通知する施策でもよい。
【０１００】
なお、喫煙所２００によって設置されている機器が異なる。機器毎の施策の定義は煩雑であるため、施策８０４には、抽象的な機器の制御指示を示す情報が設定される。これによって、機器の種別毎に異なる施策を定義しなくてもよい。施策８０４には、レベルの代わりに割合を設定してもよい。具体的な機器の制御内容は、空気環境管理サーバ１０３によって決定される。
【０１０１】
施策ＩＤ８０１が「００００５」から「００００６」までの施策定義データは、空気調和機２２０の制御指示を送信するための施策を定義する。当該施策が実行されることによって喫煙所２００の外側の環境を自動的に改善することができる。
【０１０２】
これによって、非喫煙者の健康面に配慮し、かつ、快適な環境を提供することができる。なお、空気環境管理サーバ１０３に制御指示を送信する代わりに、管理者に制御方針を通知する施策でもよい。
【０１０３】
なお、喫煙所２００によって設置されている機器が異なる。機器毎の施策の定義は煩雑であるため、施策８０４には、抽象的な機器の制御指示を示す情報が設定される。これによって、機器の種別毎に異なる施策を定義しなくてもよい。施策８０４には、レベルの代わりに割合を設定してもよい。具体的な機器の制御内容は、空気環境管理サーバ１０３によって決定される。
【０１０４】
施策ＩＤ８０１が「００００７」の施策定義データは、管理者に喫煙所２００の清掃を促すアラートを通知するための施策を定義する。当該施策が実行されることによって、管理者は、喫煙所２００の内側の環境が悪化する前に清掃を行うことができる。アラートの通知は、管理者が利用する端末１０４に対して行われるものとする。例えば、画像又はメールが端末１０４に送信される。
【０１０５】
従来、喫煙所２００の清掃は事前に決定されたスケジュールに基づいて行われている。しかし、喫煙所２００の使用状態によっては清掃が必要ない場合もあり、無駄な労力が発生する。また、喫煙所２００の使用状態によっては早急に清掃が必要な場合もあり、事前のスケジュールでは対応することができない。本施策を実行することによって、前述のような課題を解決することができる。
【０１０６】
施策ＩＤ８０１が「００００８」の施策定義データは、管理者に喫煙所２００の清掃予定時刻を有用な情報として提供するための施策を定義する。当該施策が実行されることによって、管理者は清掃のスケジュールを最適化することができる。情報の提供は、管理者が利用する端末１０４に対して行われるものとする。例えば、画像又はメールが端末１０４に送信される。
【０１０７】
これによって、施策ＩＤ８０１が「００００７」のエントリに定義される施策と同様の効果が得られる。また、事前に清掃のスケジュールを決定する必要がないため、管理者の負担を低減することができる。
【０１０８】
施策ＩＤ８０１が「００００９」の施策定義データは、管理者に消耗品の交換等のメンテナンスを促すアラートを通知するための施策を定義する。当該施策が実行されることによって、管理者は、最適なタイミングでメンテナンスを行うことができる。アラートの通知は、管理者が利用する端末１０４に対して行われるものとする。例えば、画像又はメールが端末１０４に送信される。
【０１０９】
従来、喫煙所２００のメンテナンスは事前に決定されたスケジュールに基づいて行われてきた。スケジュールに基づいて消耗品を交換する場合、喫煙所２００の使用状態が考慮されていないという問題がある。本施策を実行することによって、事前にメンテナンスのスケジュールを決定する必要がないため、管理者の負担を低減することができる。また、喫煙所２００の設備の不具合による環境の悪化を回避できる。
【０１１０】
施策ＩＤ８０１が「０００１０」の施策定義データは、管理者に喫煙所２００の異常を示すアラートを通知するための施策を定義する。当該施策が実行されることによって、管理者は、喫煙所２００の異常を検知することができる。アラートの通知は、管理者が利用する端末１０４に対して行われるものとする。例えば、画像又はメールが端末１０４に送信される。
【０１１１】
これによって、管理者は、設備の故障による喫煙所２００の環境の悪化、及び災害等を事前に回避することができる。
【０１１２】
施策ＩＤ８０１が「０００１１」の施策定義データは、管理者にドア２１２の閉扉を促すアラートを通知するための施策を定義する。当該施策が実行されることによって、管理者は、喫煙所２００のドア２１２を閉めることができる。アラートの通知は、管理者が利用する端末１０４に対して行われるものとする。例えば、画像又はメールが端末１０４に送信される。
【０１１３】
これによって、管理者は、喫煙所２００の外側の環境の悪化を回避することができる。なお、喫煙所２００の周辺にマイクが設置されている場合、音声にてアラートを通知してもよいし、喫煙所２００の周辺にディスプレイが設定されている場合、文字又は画像を含む表示にてアラートを通知してもよい。
【０１１４】
施策ＩＤ８０１が「０００１２」の施策定義データは、喫煙者に対して利用できない喫煙所２００を有用な情報として提供するための施策を定義する。当該施策が実行されることによって、喫煙所２００の利用を希望する喫煙者は、利用可能な喫煙所２００を事前に把握することができる。また、収容人数を超過する状況を事前に回避することができる。情報の提供は、喫煙者が利用する端末１０４に対して行われるものとする。例えば、画像又はメールが端末１０４に送信される。
【０１１５】
これによって、喫煙所２００の利便性を向上させるとともに、喫煙所２００の内側の環境の悪化を事前に回避することができる。なお、喫煙所２００の周辺にマイクが設置されている場合、音声にて情報を提供してもよいし、喫煙所２００の周辺にディスプレイが設定されている場合、文字又は画像を含む表示にて情報を提供してもよい。
【０１１６】
施策ＩＤ８０１が「０００１３」の施策定義データは、喫煙者に対して喫煙所２００からの退室を促すアラートを通知するための施策を定義する。当該施策が実行されることによって、喫煙所２００の利用している喫煙者の退室を促すことができる。アラートの通知は、喫煙者が利用する端末１０４に対して行われるものとする。例えば、画像又はメールが端末１０４に送信される。
【０１１７】
これによって、喫煙所２００の内側の環境の悪化を事前に回避することができる。なお、喫煙所２００の周辺にマイクが設置されている場合、音声にてアラートを通知してもよいし、喫煙所２００の周辺にディスプレイが設定されている場合、文字又は画像を含む表示にてアラートを通知してもよい。
【０１１８】
施策ＩＤ８０１が「０００１４」の施策定義データは、非喫煙者に対してにおい漏れが発生している喫煙所２００を通知するための施策を定義する。当該施策が実行されることによって、非喫煙者は、周辺の環境が悪化している喫煙所２００を把握することができる。通知は、非喫煙者が利用する端末１０４に対して行われるものとする。通知は、例えば、画像又はメールを介して行われる。
【０１１９】
これによって、非喫煙者は、事前に通知された喫煙所２００を回避した移動が可能となり、望まない受動喫煙を防止できる。すなわち、建築物の快適性を高めることができる。なお、喫煙所２００の周辺にマイクが設置されている場合、音声にて情報を提供してもよいし、喫煙所２００の周辺にディスプレイが設定されている場合、文字又は画像を含む表示にて情報を提供してもよい。
【０１２０】
なお、上記の施策は一例であって、これに限定されない。例えば、管理者に対してにおい漏れが発生している喫煙所２００を通知する施策を定義してもよい。また、喫煙所２００における喫煙者の在室人数が閾値より大きい場合、喫煙所２００の外側の空気環境の悪化が予測される旨を非喫煙者又は管理者に通知する施策を定義してもよい。また、喫煙所２００の内側又は外側の環境が改善された場合、空気調和機２１１、２２０のレベルを下げる施策を定義してもよい。また、喫煙者又は非喫煙者に対して清掃が推奨されている喫煙所２００を通知する施策を定義してもよい。
【０１２１】
実施例１では、施策毎に一つのエントリを定義しているが、これに限定されない。例えば、一つの実行条件に対して複数の施策を対応づけたエントリであってもよい。
【０１２２】
実施例１では、監視サーバ１００が、空気環境管理サーバ１０３、管理者、喫煙者、及び非喫煙者等、異なる対象に対して様々な施策を実行することによって、喫煙所２００の内側及び外側の環境を自動的に保全し、かつ、利用者（管理者、喫煙者、及び非喫煙者）に有用な情報を通知することができる。すなわち、利便性及び快適性が高い、喫煙所２００が設置された空間を実現できる。
【０１２３】
次に、喫煙所監視システムにおいて実行される処理について説明する。
【０１２４】
図９は、実施例１のエッジデバイス１０２が実行する処理の一例を説明するフローチャートである。
【０１２５】
エッジデバイス１０２は、センサ１０１からセンサデータを受信した場合、又は、周期的に以下で説明する処理を実行する。
【０１２６】
エッジデバイス１０２は、複数のセンサ１０１からセンサデータを取得する（ステップＳ１０１）。エッジデバイス１０２は、一時的にメモリ（図示省略）等の記憶装置に、取得したセンサデータを蓄積する。
【０１２７】
次に、エッジデバイス１０２は、取得したセンサデータのデータフォーマットを変換する（ステップＳ１０２）。なお、本発明はデータフォーマットの種類に限定されない。
【０１２８】
次に、エッジデバイス１０２は、データフォーマットが変換されたセンサデータを監視サーバ１００に送信する（ステップＳ１０３）。
【０１２９】
図１０は、実施例１の監視サーバ１００がセンサデータを受信した場合に実行する処理の一例を説明するフローチャートである。図１１Ａ及び図１１Ｂは、実施例１の監視サーバ１００によって表示される画面の一例を説明する図である。
【０１３０】
監視サーバ１００は、センサデータを受信した場合、データ格納部１２０を呼び出し、以下で説明する処理の実行を指示する。
【０１３１】
データ格納部１２０は、受信したセンサデータに基づいて、センサデータ管理情報１３３を更新する（ステップＳ２０１）。
【０１３２】
次に、データ格納部１２０は、ＴｏＦセンサから取得したセンサデータに基づいて、累積人数管理情報１３４を更新する（ステップＳ２０２）。その後、データ格納部１２０は画面表示部１２２を呼び出す。具体的には、以下のような処理が実行される。
【０１３３】
データ格納部１２０は、ＴｏＦセンサから取得したセンサデータに含まれるセンサの識別情報に基づいてセンサ管理情報１３２を参照し、喫煙所２００を特定する。また、データ格納部１２０は、累積人数管理情報１３４を参照し、喫煙所ＩＤ７０１が特定された喫煙所２００の識別情報が設定されたエントリを検索する。
【０１３４】
データ格納部１２０は、検索されたエントリの第１累積人数７０３及び第２累積人数７０４に、ＴｏＦセンサから取得したセンサデータに含まれる入室人数を加算し、また、更新時刻７０２に現時刻を設定する。
【０１３５】
なお、ステップＳ２０２の処理は、後述する施策決定処理において実行されてもよい。以上がステップＳ２０２の処理の説明である。
【０１３６】
次に、画面表示部１２２は、喫煙所２００の環境を提示するための表示情報を生成し（ステップＳ２０３）、端末１０４等に表示情報を送信する。その後、監視サーバ１００は、処理を終了する。
【０１３７】
ここで、表示情報に基づいて表示される画面について説明する。図１１Ａは、建築物に設置された複数の喫煙所２００の環境を表示する画面１１００を表す。画面１１００には、各喫煙所２００の環境を示すポップ１１０１が表示される。ポップ１１０１には、喫煙所２００の内側のにおい、ほこり、及び混雑のレベルを示すグラフが含まれる。各レベルは、ほこり、並びに在室人数及び収容人数の比とレベルとを定義した情報に基づいて求めることができる。また、ポップ１１０１には、喫煙所２００の内側の気温、湿度、及び気圧が含まれる。
【０１３８】
ポップ１１０１をダブルクリックした場合、図１１Ｂに示す画面１１１０が表示される。画面１１１０は、詳細表示欄１１１１及び複数のグラフ表示欄１１１２、１１１３、１１１４、１１１５、１１１６を含む。
【０１３９】
詳細表示欄１１１１は、喫煙所２００の内側及び外側の状態値を表示する欄である。詳細表示欄１１１１には、最新の状態値が表示される。
【０１４０】
グラフ表示欄１１１２は、喫煙所２００の在室人数の変化を示すグラフを表示する欄である。一点鎖線は喫煙所２００に収容可能な人数の最大値（収容人数３０３）を表す。
【０１４１】
グラフ表示欄１１１３は、喫煙所２００のにおいの変化を示すグラフを表示する欄である。実線は喫煙所２００の内側のにおいの変化を示すグラフであり、点線は喫煙所２００の外側のにおいの変化を示すグラフである。また、一点鎖線は、実行する施策を決定する場合に用いられる閾値の中で最も小さい閾値を表す。
【０１４２】
グラフ表示欄１１１４は、喫煙所２００のほこりの変化を示すグラフを表示する欄である。実線は喫煙所２００の内側のほこりの変化を示すグラフであり、点線は喫煙所２００の外側のほこりの変化を示すグラフである。また、一点鎖線は、実行する施策を決定する場合に用いられる閾値の中で最も小さい閾値を表す。
【０１４３】
グラフ表示欄１１１５は、ドア２１２が開けられた状態の時間の変化を示すグラフを表示する欄である。一点鎖線は、実行する施策を決定する場合に用いられる閾値の中で最も小さい閾値を表す。
【０１４４】
グラフ表示欄１１１６は、喫煙所２００の累積人数の変化を示すグラフを表示する欄である。一点鎖線は、実行する施策を決定する場合に用いられる閾値の中で最も小さい閾値を表す。
【０１４５】
なお、図１１Ａ及び図１１Ｂに示す画面１１００、１１１０は一例であって、これに限定されない。
【０１４６】
図１２は、実施例１の監視サーバ１００が実行する施策決定処理の一例を説明するフローチャートである。
【０１４７】
監視サーバ１００は、センサデータ管理情報１３３及び累積人数管理情報１３４が更新された後、又は、周期的に、施策決定部１２１を呼び出し、以下で説明する処理の実行を指示する。図１２では、一つの喫煙所２００に対して実行される処理を説明する。複数の喫煙所２００が存在する場合、各喫煙所２００に対して図１２で説明する処理が実行される。
【０１４８】
施策決定部１２１は、施策のループ処理を開始する（ステップＳ３０１）。
【０１４９】
具体的には、施策決定部１２１は、施策管理情報１３５から一つのエントリを選択する。
【０１５０】
施策決定部１２１は、センサデータ管理情報１３３及び累積人数管理情報１３４を参照し、現在の喫煙所２００の環境が選択された施策の実行条件を満たすか否かを判定する（ステップＳ３０２）。
【０１５１】
具体的には、施策決定部１２１は、選択された施策に対応するエントリの実行条件８０２に設定された条件式を満たすか否かを判定する。なお、閾値を設定する必要がある場合、施策決定部１２１は、喫煙所管理情報１３０等から値を読み出す。
【０１５２】
例えば、施策ＩＤ８０１が「００００１」のエントリが選択されたされた場合、施策決定部１２１は、喫煙所２００の内側のにおいの値が１００より大きくかつ２００以下、又は、喫煙所２００の内側のほこりの値が１００より大きくかつ３００以下のいずれかを満たすか否かを判定する。いずれかの条件を満たす場合、施策決定部１２１は、実行条件を満たすと判定する。
【０１５３】
選択された施策の実行条件を満たさないと判定された場合、施策決定部１２１はステップＳ３０４に進む。
【０１５４】
選択された施策の実行条件を満たすと判定された場合、施策決定部１２１は選択された施策を施策リストに登録し（ステップＳ３０３）、その後、ステップＳ３０４に進む。
【０１５５】
具体的には、施策決定部１２１は、選択された施策に対応するエントリの施策ＩＤ８０１をリストに登録する。
【０１５６】
ステップＳ３０４では、施策決定部１２１は、施策管理情報１３５に格納される全ての施策定義データについて処理が完了したか否かを判定する（ステップＳ３０４）。
【０１５７】
施策管理情報１３５に格納される全ての施策定義データについて処理が完了していないと判定された場合、施策決定部１２１は、ステップＳ３０１に戻り、新たな施策を選択する。
【０１５８】
施策管理情報１３５に格納される全ての施策定義データについて処理が完了したと判定された場合、施策決定部１２１は、施策リストに登録された施策を実行し（ステップＳ３０５）、その後、処理を終了する。
【０１５９】
図１２では、施策決定部１２１は、実行する施策を全て決定した後、決定された施策を実行しているが、別の処理方法でもよい。例えば、施策決定部１２１は、選択された施策の実行条件を満たす場合、当該施策を実行する。
【０１６０】
図１３は、実施例１の空気環境管理サーバ１０３が実行する処理の一例を説明するフローチャートである。
【０１６１】
空気環境管理サーバ１０３に対する施策が実行された場合、以下で説明する処理が実行される。
【０１６２】
空気環境管理サーバ１０３の空調制御部１４０は、監視サーバ１００から受信した制御指示に基づいて、制御機器を特定する（ステップＳ４０１）。
【０１６３】
次に、空調制御部１４０は、制御指示に基づいて制御内容を決定する（ステップＳ４０２）。
【０１６４】
実施例１では、抽象的な機器の制御指示が送信されるため、空調制御部１４０は、喫煙所２００に設置される制御機器に対応した制御内容を決定する。例えば、エアーの出力の強度を５段階で調整できる空気調和機２１１に対して１段階のレベル上昇を指示する制御指示を受信した場合、空調制御部１４０は、現在の強度を一つ上昇させる。
【０１６５】
次に、空調制御部１４０は、制御内容に基づいて制御機器を制御する（ステップＳ４０３）。その後、空調制御部１４０は処理を終了する。
【０１６６】
次に、施策に対応するアラートの通知及び情報提供の一例を説明する。
【０１６７】
図１４は、実施例１の監視サーバ１００から管理者への通知を表示する画面の一例を示す図である。図１５は、実施例１の監視サーバ１００から喫煙者への通知を表示する画面の一例を示す図である。図１６は、実施例１の監視サーバ１００から非喫煙者への通知を表示する画面の一例を示す図である。
【０１６８】
管理者への通知は、例えば、画面１１００の通知欄１４００として提示される。通知欄１４００には、施策ＩＤが「００００９」、「００００７」、「００００８」に対応する通知が提示されている。
【０１６９】
喫煙者への通知は、例えば、画面１５００として提示される。画面１５００には、使用不可喫煙所欄１５０１及び使用可能喫煙所欄１５０２が含まれる。使用不可喫煙所欄１５０１は、収容人数を超えているため入室が禁止されている喫煙所２００を表示する欄である。使用可能喫煙所欄１５０２は、使用可能な喫煙所２００を表示する欄である。なお、空き人数は、収容人数３０３から在室人数６３６を減算することによって求めることができる。
【０１７０】
非喫煙者への通知は、例えば、画面１６００として提示される。画面１６００には、喫煙所欄１６０１が含まれる。喫煙所欄１６０１は、におい漏れが発生している喫煙所２００を表示する欄である。喫煙所欄１６０１に表示されるレベルは、においの強度を表す。においの強度は、空気品質６１６の値とレベルとを定義した情報に基づいて求めることができる。
【０１７１】
図１７は、実施例１の監視サーバ１００が実行する累積人数の初期化処理の一例を説明するフローチャートである。図１８Ａ及び図１８Ｂは、実施例１の端末１０４に表示される画面の一例を示す図である。
【０１７２】
監視サーバ１００は、喫煙所２００が清掃された場合、累積人数管理情報１３４の第１累積人数７０３を初期化する。また、監視サーバ１００は、喫煙所２００のメンテナンスが行われた場合、監視サーバ１００は、累積人数管理情報１３４の第２累積人数７０４を初期化する。喫煙所２００の清掃の完了を通知する方法として、図１８Ａに示すような画面１８００を用い、喫煙所２００のメンテナンスの完了を通知する方法としては、図１８Ｂに示すような画面１８１０を用いる。
【０１７３】
画面１８００は、管理者又は管理者が清掃を委託した作業者の端末１０４に表示される。画面１８００には、清掃対象の喫煙所２００が表示され、また、清掃完了ボタン１８０１を含む。清掃完了ボタン１８０１が操作された場合、端末１０４から監視サーバ１００に喫煙所２００の識別情報を含む清掃完了通知が送信される。
【０１７４】
画面１８１０は、管理者又は管理者がメンテナンスを委託した作業者の端末１０４に表示される。画面１８１０には、メンテナンス対象の喫煙所２００が表示され、また、メンテナンス完了ボタン１８１１を含む。メンテナンス完了ボタン１８１１が操作された場合、端末１０４から監視サーバ１００に喫煙所２００の識別情報を含むメンテナンス完了通知が送信される。
【０１７５】
監視サーバ１００は、清掃完了通知又はメンテナンス完了通知を受信した場合、図１７で説明する処理を実行する。
【０１７６】
監視サーバ１００は、累積人数管理情報１３４を参照し、初期化するエントリを検索する（ステップＳ５０１）。監視サーバ１００は、検索されたエントリを初期化する（ステップＳ５０２）。
【０１７７】
清掃完了通知を受信した場合、監視サーバ１００は、検索されたエントリの第１累積人数７０３に０を設定する。メンテナンス完了通知を受信した場合、監視サーバ１００は、第２累積人数７０４に０を設定する。
【０１７８】
以上で説明したように、実施例１の喫煙所監視システムは、喫煙所２００の環境に応じて、自動的に施策を実行することができる。これによって、喫煙所の管理者の負担を低減できる。また、喫煙所２００の環境に応じて、適切な施策を実行することによって、利便性及び快適性が高い、喫煙所が設置された空間を実現できる。
【０１７９】
なお、本発明は上記した実施例に限定されるものではなく、様々な変形例が含まれる。また、例えば、上記した実施例は本発明を分かりやすく説明するために構成を詳細に説明したものであり、必ずしも説明した全ての構成を備えるものに限定されるものではない。また、各実施例の構成の一部について、他の構成に追加、削除、置換することが可能である。
【０１８０】
また、上記の各構成、機能、処理部、処理手段等は、それらの一部又は全部を、例えば集積回路で設計する等によりハードウェアで実現してもよい。また、本発明は、実施例の機能を実現するソフトウェアのプログラムコードによっても実現できる。この場合、プログラムコードを記録した記憶媒体をコンピュータに提供し、そのコンピュータが備えるプロセッサが記憶媒体に格納されたプログラムコードを読み出す。この場合、記憶媒体から読み出されたプログラムコード自体が前述した実施例の機能を実現することになり、そのプログラムコード自体、及びそれを記憶した記憶媒体は本発明を構成することになる。このようなプログラムコードを供給するための記憶媒体としては、例えば、フレキシブルディスク、ＣＤ−ＲＯＭ、ＤＶＤ−ＲＯＭ、ハードディスク、ＳＳＤ（Ｓｏｌｉｄ  Ｓｔａｔｅ  Ｄｒｉｖｅ）、光ディスク、光磁気ディスク、ＣＤ−Ｒ、磁気テープ、不揮発性のメモリカード、ＲＯＭなどが用いられる。
【０１８１】
また、本実施例に記載の機能を実現するプログラムコードは、例えば、アセンブラ、Ｃ／Ｃ＋＋、ｐｅｒｌ、Ｓｈｅｌｌ、ＰＨＰ、Ｐｙｔｈｏｎ、Ｊａｖａ（登録商標）等の広範囲のプログラム又はスクリプト言語で実装できる。
【０１８２】
さらに、実施例の機能を実現するソフトウェアのプログラムコードを、ネットワークを介して配信することによって、それをコンピュータのハードディスクやメモリ等の記憶手段又はＣＤ−ＲＷ、ＣＤ−Ｒ等の記憶媒体に格納し、コンピュータが備えるプロセッサが当該記憶手段や当該記憶媒体に格納されたプログラムコードを読み出して実行するようにしてもよい。
【０１８３】
上述の実施例において、制御線や情報線は、説明上必要と考えられるものを示しており、製品上必ずしも全ての制御線や情報線を示しているとは限らない。全ての構成が相互に接続されていてもよい。
【符号の説明】
【０１８４】
１００  監視サーバ
１０１  センサ
１０２  エッジデバイス
１０３  空気環境管理サーバ
１０４  端末
１１０  プロセッサ
１１１  ネットワークインタフェース
１１２  メモリ
１１３  記憶装置
１２０  データ格納部
１２１  施策決定部
１２２  画面表示部
１３０  喫煙所管理情報
１３１  設備管理情報
１３２  センサ管理情報
１３３  センサデータ管理情報
１３４  累積人数管理情報
１３５  施策管理情報
１４０  空調制御部
１５０  アプリケーション
２００  喫煙所
２０１  通路
２１０  喫煙テーブル
２１１、２２０  空気調和機
２１２  ドア
【図１】
2020181274.tif 000003
【図２】
2020181274.tif 000004
【図３】
2020181274.tif 000005
【図４】
2020181274.tif 000006
【図５】
2020181274.tif 000007
【図６Ａ】
2020181274.tif 000008
【図６Ｂ】
2020181274.tif 000009
【図６Ｃ】
2020181274.tif 000010
【図６Ｄ】
2020181274.tif 000011
【図７】
2020181274.tif 000012
【図８Ａ】
2020181274.tif 000013
【図８Ｂ】
2020181274.tif 000014
【図９】
2020181274.tif 000015
【図１０】
2020181274.tif 000016
【図１１Ａ】
2020181274.tif 000017
【図１１Ｂ】
2020181274.tif 000018
【図１２】
2020181274.tif 000019
【図１３】
2020181274.tif 000020
【図１４】
2020181274.tif 000021
【図１５】
2020181274.tif 000022
【図１６】
2020181274.tif 000023
【図１７】
2020181274.tif 000024
【図１８Ａ】
2020181274.tif 000025
【図１８Ｂ】
2020181274.tif 000026